【手続補正書】
【提出日】平成18年4月27日(2006.4.27)
【手続補正１】
【補正対象書類名】特許請求の範囲
【補正対象項目名】全文
【補正方法】変更
【補正の内容】
【特許請求の範囲】
【請求項１】
剃刀胴体部（１２、２１２）と、
前記剃刀胴体部に結合され、中の多量のシェービング・エイド（２０）を保持すように構成された内部領域（１６、２１６）を定める貯蔵手段（１５、２１５）と、
前記シェービング・エイドが前記内部領域に留保される位置である非発射位置と前記シェービング・エイドの量の一部を前記内部領域から溢させる位置である発射位置との間を動かした時に、選択的に多量の前記シェービング・エイドを前記内部領域から溢れさせる作動手段（２４）と、
前記作動手段が発射位置に動かされた事に応じて前記シェービング・エイドを前記剃刀胴体部からユーザの肌へ移動させる発射手段（２２）と、
前記剃刀胴体部に連結され、前記剃刀カートリッジに与えられた力に応じて前記剃刀胴体部に対し伸びた位置から縮んだ位置へ動くことができる点に特徴を有する剃刀カートリッジ（１４、２１４）と、から構成され、
前記作動手段は、前記カートリッジが前記縮んだ位置にあることに応じて開口位置へ動くことができ、前記内部領域と流動的に連絡している通常は閉じた弁（２３２）を有するシェービング・エイド・アプリケータを有する剃刀（１０、１１０、２１０）。
【請求項２】
前記貯蔵手段（１５、２１５）は、前記剃刀胴体部と一体となった貯蔵庫を有する点を特徴とした請求項１に記載のシェービング・エイド・アプリケータを有する剃刀。
【請求項３】
前記作動手段（２４）は、前記発射位置と前記非発射位置の間を繰り返し動くことで前記内部領域の気圧を増加させ、それにより中に在る前記シェービング・エイドの一部を前記発射手段から溢れさせる貯蔵庫に密封結合した手動的に押下げ可能なボタン（２４，１２４）をさらに有する点を特徴とする請求項２に記載のシェービング・エイド・アプリケータを有する剃刀。
【請求項４】
前記貯蔵庫は、
前記貯蔵庫によって定まる外表面（２６）から前記内部領域まで伸びる穴（２８）と、
取外し可能にかつ密封的に前記穴と勘合し、前記穴によって前記内部領域に到達することで補充の為に前記シェービング・エイドを受領可能にする位置である開口位置と前記シェービング・エイドが前記内部領域に保持される位置である閉口位置との間を動かされるプラグ（３０）とを有する点を特徴とする請求項２に記載のシェービング・エイド・アプリケータを有する剃刀。
【請求項５】
前記シェービング・エイド（２０）がゲルの形式である点を特徴とする請求項１に記載のシェービング・エイド・アプリケータを有する剃刀。
【請求項６】
前記シェービング・エイド（２０）が泡の形式である請求項１に記載のシェービング・エイド・アプリケータを有する点を特徴とする剃刀。
【請求項７】
前記シェービング・エイド（２０）が液体の形式である点を特徴とする請求項１に記載のシェービング・エイド・アプリケータを有する剃刀。
【請求項８】
前記シェービング・エイドは加圧下で受領可能であり、
前記剃刀はさらに、前記貯蔵手段（１５）により定まる外壁（２６）を通じて前記内部領域（１６）まで伸び、加圧されたシェービング・エイドのコンテナと勘合するように構成され、それ故、前記内部領域のシェービング・エイドを加圧下で補充することができる逆止弁（１３２）を有する請求項１に記載のシェービング・エイド・アプリケータを有する点を特徴とする剃刀。
【請求項９】
前記発射手段は、前記作動手段を前記非発射位置から前記発射位置へ動かす時に、前記シェービング・エイドを発射する為に剃刀胴体部に連結した少なくとも一のノズル（２２）を有する請求項１に記載のシェービング・エイド・アプリケータを有する点を特徴とする剃刀。
【請求項１０】
前記ノズル（２２）は、少なくとも一枚の剃刀刃がユーザの肌のある領域に触れる前に前記シェービング・エイドが前記ノズルから前記領域に発射されるように前記少なくとも一枚の剃刀刃を搭載した前記剃刀カートリッジ（１４）の前に位置する請求項９に記載のシェービング・エイド・アプリケータを有する点を特徴とする剃刀。
【請求項１１】
前記ノズル（２２）は、少なくとも一枚の剃刀刃がユーザの肌のある領域を通過した後に前記シェービング・エイドが前記ノズルから前記領域に発射されように前記少なくとも一枚の剃刀刃を搭載した前記剃刀カートリッジ（１４）の後に位置する点を特徴とする請求項９に記載のシェービング・エイド・アプリケータを有する剃刀。
【請求項１２】
隙間（２４２）を定める為にお互いに対して間を空けて位置する少なくとも２枚の剃刀刃（２４０）を搭載した前記剃刀カートリッジ（２１４）と、
前記発射手段は、前記作動手段が前記非発射位置から前記発射位置へと移動するのに応じて前記シェービング・エイドを散布する為に、前記少なくとも２枚の剃刀刃の前記隙間に位置する吐出口（２４４）を有し、
前記作動手段が前記発射位置にある時に前記シェービング・エイドを溢れさせる前記吐出口（２４４）と前記内部領域（２１６）との間であり流動的に連絡する経路を定める手段（２３２）と、をさらに有する点をさらに特徴とする請求項１に記載のシェービング・エイド・アプリケータを有する剃刀（２１０）。
【請求項１３】
前記剃刀カートリッジに働いた力に応じて前記剃刀胴体部に対し伸びた位置から縮んだ位置まで動かすことができる前記剃刀カートリッジ（２１４）であって、
前記作動手段は、前記剃刀胴体部にあり、前記内部領域（２１６）と前記吐出口（２４４）とを流動的に連絡し、前記カートリッジが前記縮んだ位置にあることに応じて開口位置に移動される、通常は閉じたバルブ（２３２）を有する、点を特徴とする請求項１２に記載のシェービング・エイド・アプリケータを有する剃刀。
【請求項１４】
前記貯蔵手段（１５）は、前記剃刀胴体部（１１２）に取外可能に取付ることができ、前記発射手段（１２２）と勘合可能な吐出口（１３８）を有する貯蔵庫（１１５）を有し、
前記作動手段（１２４）は、前記作動手段が前記非発射位置から前記発射位置へ動くことで前記シェービング・エイドが前記発射手段からユーザの肌へ溢れ出すように、稼動可能に前記吐出口と勘合する、ことを特徴とする請求項１に記載のシェービング・エイド・アプリケータを有する剃刀。
【手続補正２】
【補正対象書類名】明細書
【補正対象項目名】０００１
【補正方法】削除
【補正の内容】
【手続補正３】
【補正対象書類名】明細書
【補正対象項目名】０００８
【補正方法】変更
【補正の内容】
【０００８】
本発明の好ましい実施形態において、貯蔵手段は剃刀胴体部に結合された貯蔵庫を有し、作動手段は、ボタンが発射位置と非発射位置の間を繰り返し動くことで貯蔵庫の内部領域の気圧を増加させ、それにより、その中に在るシェービング・エイドの一部を発射手段からユーザの肌の上へ溢れさせるような、貯蔵庫に密封結合している手動的に押下げ可能なボタンを有する。しかし、本発明は、シェービング・エイドはまた加圧下で内部領域に保存し得るというこの点に限定されない。
【手続補正４】
【補正対象書類名】明細書
【補正対象項目名】００１８
【補正方法】変更
【補正の内容】
【００１８】
図４に示される本発明における剃刀の他の実施例は、一般的に参照番号１１０で示される。剃刀１１０は多くの点で上記の剃刀１０と似ているので、それ故、同じ様な番号１から始まる参照番号は、同じ様な要素を示す為に使われる。剃刀１１０は剃刀１０と、貯蔵庫１１５が剃刀の胴体部から取外し可能である点で異なる。これによって、使用者が貯蔵庫１１５を剃刀の胴体部から取り去ることで容易に補充ができる。また、ユーザが異なるシェービング・エイドを使用するならば、ユーザは異なったシェービング・エイドでそれぞれ満たされたいろいろな貯蔵庫を有することができる。貯蔵庫１１５は、図示されたプラグ１３０と合体した実施例で示される。しかし、（上記のような）逆止弁や、本発明にふさわしい関連技術に精通した者に知られた他の閉口手段が代用されうると言う点で、本発明はこれに限定されない。
【手続補正５】
【補正対象書類名】明細書
【補正対象項目名】００２０
【補正方法】変更
【補正の内容】
【００２０】
図１、５及び６で示した様に、発射ノズル２２は、剃刀カートリッジ１４に対して異なった位置に置く事ができる。例えば、図１に示されたように、Ｓとラベル付けされたシェービング方向へユーザの肌に沿って剃刀１０が動かされた時は、発射ノズル２２は剃刀カートリッジ１４の後を追う。
反対に、図５に表されたように、シェービング方向Ｓに対して剃刀カートリッジ１４に先行するように、発射ノズル２２は配置される。図１や５に図示しされた異なるノズルの位置に加え、ノズル２２は異なった形状をも仮定している。例えば、ノズル２２は単一の穴によって形成されるか又は、剃刀胴体部を通じて内部領域１６（図６）まで伸びる複数の独立した穴によって形成される。
【手続補正６】
【補正対象書類名】明細書
【補正対象項目名】００２１
【補正方法】変更
【補正の内容】
【００２１】
図７に示された、本発明の剃刀における他の実施例は一般的に参照番号２１０で表される。剃刀２１０は上記の剃刀１０と多くの点で一致している。それ故、同じ様な番号２から始まる参照番号は、同じ様な要素を示す為に使われる。
剃刀２１０と剃刀１０は、ボタンの形状である図１の作動装置２４と剃刀カートリッジ１４に隣接した発射ノズル２２の代わりに、剃刀カートリッジ２１４それ自体が作動装置の一部である点で異なる。図示した実施例において、剃刀カートリッジ２１４は、それぞれに対し離れて位置しその間の隙間２４２を定める一対の剃刀刃２４０を有する。シェービング・エイド吐出口２４４はその隙間２４２の中に位置する。普段は閉じているバルブ２３２は吐出口２４４と貯蔵庫２１５の内部領域２１６との間に位置する。図示した実施例において、シェービング・カートリッジ２１４は上記の発射位置と非発射位置の間を移動することができる。
【手続補正７】
【補正対象書類名】明細書
【補正対象項目名】００２２
【補正方法】変更
【補正の内容】
【００２２】
従って、剃毛動作の間、ユーザが剃刀カートリッジ２１４を肌に押し付けることで得られた圧力により、剃刀カートリッジ２１４は発射位置に移動する。次に、これにより、通常は閉じているバルブ２３２が開き、結果として内部領域２１６に蓄積されていたシェービング・エイド２２０が吐出口２４４からユーザの肌の上へあふれ出る。二枚刃の剃刀カートリッジ２１４を示し、又、説明した一方で、吐出口がその近くにある一枚刃や、多数の剃刀刃を使用する剃刀カートリッジは、本発明のより広義な態様から外れずに代用できると言う事に関して、本発明はこれに限定されない。